(57)【要約】ワンタッチ用テントのように上部の支持力が弱いテントの上部に設置可能なワンタッチテント用フライが開示される。本発明によるワンタッチテント用フライは、外部環境からテントを保護するようにテントを覆った状態で地面に縁の部分が固定されるフライにおいて、前記テントを覆うように設置される防水布；前記フライが設置されれば前記防水布がトンネル状で起立して維持できるように前記防水布に固定され、リング状に形成されるが、向かい合う一対の第１地点が地面に密着され、前記第１地点と９０度角度の向かい合う一対の第２地点が最高の高さに位置するように折り曲げられたトンネル型ポール；及び前記テントに前記フライが脱着できるように前記テントとフライの一部を連結して固定する締結手段；を含む。
2020515741.tif 000002
【特許請求の範囲】
【請求項１】
外部環境からテントを保護するよう、テントを覆った状態で地面に縁の部分が固定されるフライにおいて、
前記テントを覆うように設置される防水布；
前記フライが設置されれば前記防水布がトンネル状で起立して維持できるように前記防水布に固定され、リング状で形成されるが、向かい合う一対の第１地点が地面に密着され、前記第１地点と９０度角度の向かい合う一対の第２地点が最高の高さに位置するように折り曲げられたトンネル型ポール；
前記テントに前記フライが脱着されることができるように前記テントとフライの一部を連結して固定する締結手段；
を含むワンタッチテント用フライ。
【請求項２】
前記締結手段は、前記一対の第１地点を前記テントに固定する請求項１に記載のワンタッチテント用フライ。
【請求項３】
前記防水布の縁を地面に固定する固定ピンをさらに含む請求項１に記載のワンタッチテント用フライ。
【請求項４】
前記防水布は、前記トンネル型ポールの入口部分を中央の前面部と前記前面部の両側に側面部を形成するように切開された請求項１に記載のワンタッチテント用フライ。
【請求項５】
前記前面部は、捲り上げた後、複数個のバンドでその状態を維持するように固定される請求項４に記載のワンタッチテント用フライ。
【請求項６】
前記前面部と前記側面部の接した部分がベルクロ(登録商標)テープによって脱着できるように設置された請求項４に記載のワンタッチテント用フライ。
【請求項７】
前記トンネル型ポールは、設置する前には平面上でリング状からなって、前面上で半球状を成すように折り曲げられる請求項１に記載のワンタッチテント用フライ。
【請求項８】
前記トンネル型ポールの前記一対の第１地点を連結する第１ワイヤ；
前記一対の第２地点を連結する第２ワイヤ；
をさらに含む請求項１に記載のワンタッチテント用フライ。
【請求項９】
前記トンネル型ポールの一対の第２地点の間には前記第２ワイヤが通過するスリーブが形成され、前記スリーブには前記トンネル型ポールの直径より長さが長い補助ポールが挿入された請求項第８に記載のワンタッチテント用フライ。
【発明の詳細な説明】
【技術分野】
【０００１】
本発明は、ワンタッチ用テントのように上部の支持力が弱いテントの上部に設置可能で、防水機能を有し、風より保護し、そして冷気を遮断することができるワンタッチテント用フライに関する。
【背景技術】
【０００２】
一般的に、テントは、野外でキャンピングを楽しむために開発された天幕形態の製品で、その種類が様々である。
【０００３】
通常、テントは外部からの雨風を防ぐために防水布などを使って天幕形態で製作し、フレームでは弾性力を有するポールを繋げて製作するように構成される。テントはキャンピングするために開発されたので、携帯性が強調される。したがって、テントは全ての部品を折り畳んで、とても小さい形態で携帯できるように構成されている。
【０００４】
最も多く使われるテントは、天幕形態の防水布をいくつかのポールを連結して内部空間を持つように連結支持して組立てる。次に、テントの一部を連結して地面に固定させる。このような形態が最も典型的なテントの類型である。
【０００５】
このような基本的なテント以外も、室内で使えるテントもあり、蚊などの虫のみを防ぐための蚊帳形態のテントもある。
【０００６】
ここで、テントとは、このような屋外用、室内用、そして蚊帳などの形態を問わず、テントと通称する。
【０００７】
テントは、携帯していて、構成要素を全て分離した後、ポールなどを連結して組立て、その後、地面に固定するまで、ある程度時間が必要となる。もちろん、堅固なテントを組立てるほど時間が多くかかる。
【０００８】
このような基本的なテントの他にも、いわゆるワンタッチテントがある。ワンタッチテントは、文字どおりテントを広げて立てる作業と、再び折り畳む作業が速かに行われる構成を持つテントを言う。
【０００９】
もちろん、ワンタッチテントは、基本的なテントに比べて堅固でないことは勿論であるが、暫くの間休憩をとる場合、室内に設置する場合など様々な理由で脚光を浴びるアイテムとなった。
【００１０】
現在、広く普及されているワンタッチテントは、折り畳むと円形となり、ケースから取り出して投げると、柔軟なポールの弾性力によって自動に広げられるテントである。
【００１１】
一方、一般的なテントの場合は、通常テントを地面に固定して設置した後、雨風と湿気からテントの内部を保護するために、通常防水布からなる、いわゆるフライをテント全体をカバーするように覆う。フライは、木などに一部を縛る場合もあるが、木がない場合には、地面にフライの斜面に沿ってパイルを打ち込んでフライを固定させる。この時、一般テントの場合は、ポールが丈夫であるため、フライを張って設置することになってもテントの形状がほぼ同一に維持される。
【００１２】
しかし、従来の技術によるワンタッチテントにフライを設置すれば、フライによって加えられる力によって柔軟なポールが曲がり、ワンタッチテントがテントの形状を維持できなくなる問題点があった。
【００１３】
同時に、従来技術によるフライの場合には、設置する時、広げて固定するのに多くの努力が必要となり、折り畳む時も同じ問題点があった。
【発明の概要】
【発明が解決しようとする課題】
【００１４】
本発明によるフライは、テント屋根を覆う布で雨と雪からテントが濡れることを防いでくれる防水機能をし、風から保護して、冷気を遮断する役目をする。一方、投げるだけで広げられるワンタッチテントは、携帯と設置の迅速さで脚光を浴びるアイテムである。簡便さを大事にするワンタッチテント使用者の特性上、今までポールを連結して地面に固定までしなければならないフライを、テントと一緒に持ち歩きながら使うには不便なところがあった。既存のフライ設置方法、体積、重さなどによってワンタッチテントとフライを一緒に携帯することが難しく、ワンタッチテントは暫くの間の休憩や室内に設置する用途で多く使うようになった。
【００１５】
これを補完して発明するようになったワンタッチテント用フライは、ワンタッチテントの長所をそのまま持ってきて迅速な設置が可能であり、ワンタッチテントに防水と保温機能をワンタッチで早く提供することができる。また、ワンタッチテントと同一な形態で折りたたまれると同時に収納が可能であるため、携帯の容易性を持っている。
【００１６】
ワンタッチテントにワンタッチフライという概念を最初に取り入れて一体感を高め、従来多くの時間が要されたフライ設置を改善してポップアップ形態で迅速に設置できる方法を考案した。
【００１７】
本発明の目的は、既存の問題点を解決するためのことであって、フライに柔軟な形態のポールを備えるようにして、ワンタッチテントを展開した状態でフライを組み合わせてもワンタッチテントの形態が壊れることなく、その形状を保つことができる、ワンタッチテント用フライを提供することである。
【課題を解決するための手段】
【００１８】
前記目的を達成するための具体的手段としての本発明は、外部環境からテントを保護するよう、テントを覆った状態で地面に縁の部分が固定されるフライにおいて、前記テントを覆うように設置される防水布；前記フライが設置されれば前記防水布がトンネル状で起立して維持できるように前記防水布に固定され、リング状で形成されるが、向かい合う一対の第１地点が地面に密着され、前記第１地点と９０度角度の向かい合う一対の第２地点が最高の高さに位置するように折り曲げられたトンネル型ポール；及び前記テントに前記フライが脱着されることができるように前記テントとフライの一部を連結して固定する締結手段；を含むことができる。
【００１９】
好ましくは、前記締結手段は、前記一対の第１地点を前記テントに固定することができる。
【００２０】
好ましくは、前記防水布の縁を地面に固定する固定ピンをさらに含むことができる。
【００２１】
好ましくは、前記防水布は、前記トンネル型ポールの入口部分を中央の前面部と前記前面部の両側に側面部を形成するように切開されることができる。
【００２２】
好ましくは、前記前面部は捲り上げた後、複数個のバンドでその状態を維持するように固定されることができる。
【００２３】
好ましくは、前記前面部と前記側面部の接した部分がベルクロ(登録商標)テープによって脱着できるように設置されることができる。
【００２４】
好ましくは、前記トンネル型ポールは、設置する前には平面上でリング状からなって、設置した後は前面上で半球状を成すように折り曲げられることができる。
【００２５】
好ましくは、前記トンネル型ポールの前記一対の第１地点を連結する第１ワイヤ；及び前記一対の第２地点を連結する第２ワイヤ；をさらに含むことができる。
【００２６】
好ましくは、前記トンネル型ポールの一対の第２地点の間には前記第２ワイヤが通過するスリーブが形成され、前記スリーブには前記トンネル型ポールの直径より長さが長い補助ポールが挿入されることができる。
【発明の効果】
【００２７】
前記のような本発明によると、次のような効果がある。
【００２８】
（１）本発明によるフライは、ワンタッチテントのように支持力が弱いテントに力を加えずに、立てられた状態でテントと地面に固定されてテントを外部環境から保護することができる効果を提供する。
【００２９】
（２）本発明によるフライは、リング状のポールが前方でトンネル状に形成され、その部分にワンタッチテントが挿入されて締結されることで、とても設置しやすい効果を提供する。
【００３０】
（３）本発明によるフライは、従来多くの時間が要されたフライの設置を迅速、且つ簡単にすることで、テントに防水及び保温効果を速かに提供することができる。
【図面の簡単な説明】
【００３１】
【図１】本発明によるワンタッチテント用フライのみを地面に設置した斜視図である。
【図２】本発明によるワンタッチテント用フライをテントの上部に設置した斜視図である。
【図３】図２に図示されたワンタッチテント用フライの前面カバーを全部下した状態の斜視図である。
【図４】本発明によるワンタッチテント用フライとテントを連結した状態を示すファスナーの正面図である。
【図５】本発明の他の実施例によるワンタッチテント用フライの平面図である。
【図６】本発明によるフライとテントを収納する概略図である。
【発明を実施するための最良の形態】
【００３２】
以下、添付した図面を参考にして本発明の実施例に対して本発明が属する技術分野における通常の知識を有する者が容易に実施できるように詳しく説明する。本発明はいくつか異なる形態で具現することができ、ここで説明する実施例に限定されない。図面で本発明を明確に説明するため、説明と関係ない部分は省略し、明細書全体にわたって同一または類似の構成要素に対しては同一の参照符号を付した。
【００３３】
本明細書において、「含む」または「持つ」などの用語は、明細書上に記載された特徴、数字、段階、動作、構成要素、部品またはこれらを組み合わせたものが存在することを指定しようとするものであって、一つまたはそれ以上の他の特徴や数字、段階、動作、構成要素、部分品またはこれらを組み合わせたものなどの存在または付加可能性を予め排除しないものとして理解しなければならない。また、層、幕、領域、板などの部分が他の部分の「上に」あるとする場合、これは他の部分の「真上に」ある場合だけでなく、その中間にまた別の部分がある場合も含む。逆に、層、幕、領域、板などの部分が他の部分の「下に」あるとする場合、これは他の部分の「真下に」ある場合だけでなく、その中間にまた別の部分がある場合も含む。
【００３４】
以下では、図面を参照して本発明の一実施例によるワンタッチテント用フライをより詳しく説明する。
【００３５】
本発明の第１実施例によるワンタッチテント用フライ１０は、図１ないし図４に図示されたように、外部環境からテント１を保護するよう、テント１を覆った状態で地面に縁の部分が固定されるフライであって、防水布１１、トンネル型ポール１２、そして締結手段２０を含む。
【００３６】
前記防水布１１は、図１ないし図４を参考すれば、前記テント１を覆うように設置され、一般のフライのように防水材質からなる。
【００３７】
この時、前記防水布１１の縁を地面に固定する固定ピン１３をさらに含むことができる。つまり、前記防水布１１の縁に沿って複数個の孔が形成され、その孔に前記固定ピン１３を使ってフライ１０を地面に固定する。
【００３８】
この時、前記防水布１１は、図１ないし図４を参考すれば、前記トンネル型ポール１２の入口部分を中央の前面部１１ｃと前記前面部１１ｃの両側に側面部１１ｂを形成するように切開される。したがって、前記側面部１１ｂは、設置する時、常に地面に前記固定ピン１３を利用して固定させ、前記前面部１１ｃは固定しても固定しなくてもよい。したがって、前記前面部１１ｃ、側面部１１ｂ、そしてトンネル型ポール１２の内側の中央部１１ａが防水布１１を構成する。
【００３９】
この時、前記前面部１１ｃは、図１及び図２を参考すれば、捲り上げた後、複数個のバンドでその状態を維持できるように固定することもできる。このようにすることで、ワンタッチテント１への進出路を確保する。
【００４０】
この時、図３を参考すれば、前記前面部１１ｃと前記側面部１１ｂの接した部分がベルクロ(登録商標)テープ１１ｄによって脱着できるように設置されることができる。もちろん、ベルクロ(登録商標)テープ１１ｄの他にも結束するためのロープやリボンなどを使うこともできる。
【００４１】
前記トンネル型ポール１２は、図１及び図４を参考すれば、前記フライが設置されると、前記防水布１１がトンネル状で起立して維持できるように前記防水布１１に固定され、リング状に形成されるが、向かい合う一対の第１地点１２ａが地面に密着されて前記第１地点１２ａと９０度角度の向かい合う一対の第２地点１２ｂが最高の高さに位置するように折り曲げられる。
【００４２】
この時、前記トンネル型ポール１２は、設置する前には平面上でリング状からなって、前面上では半球状を成すように折り曲げられることができる。したがって、設置前後にはフライ１０が平面上でリング状に広げられた状態であるため、ワンタッチテントのように折り畳んで一緒に保管することができる。
【００４３】
この時、前記トンネル型ポール１２は、一部は前記防水布１１に形成されたスリーブに挿入され、一部は外部へ露出される。特に、前記一対の第１地点１２ａは露出させてワンタッチテント１と締結されるようにする。
【００４４】
この時、前記トンネル型ポール１２は、基本的に形態を維持できるように剛性度と弾力を持つ金属材質からなることが好ましい。また、ワンタッチテント１のポールのように柔軟性が豊富で力を入れて折り畳むことができるようにする。そうすることによって、前記フライ１０を折り畳んでテントと一緒に収納することもできる。
【００４５】
前記締結手段２０は、前記テント１に前記フライ１０が脱着できるよう、前記テント１とフライ１０の一部を連結して固定する。
【００４６】
この時、前記締結手段２０は、前記一対の第１地点１２ａを前記テント１に固定することができる。
【００４７】
この時、図４を参考すれば、前記一対の第１地点１２ａにベルト２１ａとファスナー２１が備えられ、前記テント１にもポール１ａと連結されてベルト２１ｂとファスナー２２が備えられ、ファスナー２１、２２を締結することで前記フライ１０をテント１に固定可能となる。
【００４８】
もちろん、このような構造のファスナー２１、２２の他にもベルクロ(登録商標)テープや、リボン、紐、ワイヤなどの締結手段を用いて脱着できるように構成することもできる。
【００４９】
図１を参考すれば、単品として、フライ１０のみをマットのようなパッド９に固定している。前記フライ１０は地面に固定ピン１３によって固定され、前面中央の前面部１１ｃは捲り上げられてトンネル型ポール１２の付近に固定されている。また、前記トンネル型ポール１２は、本来の円形リング状で前記パッド９の両側に締結手段によって固定されることで、トンネル状からなって立てられている状態を維持する。
【００５０】
図２を参考すれば、前記フライ１０の内部にワンタッチテント１を設置している。図示されたように、前面部１１ｃが図１のように開放されてワンタッチテント１への進出路が確保された状態で、フライはトンネル型ポール１２によって立てられた状態であるため、ワンタッチテント１に変形を加える力を加えていない状態である。このような状態で前記テント１とフライ１０を撤去することになると、ワンタッチテント１とフライ１０は、いずれも円板型で折り畳まれるので、一緒に折り畳んで一つのかばんに収納することもできる。もちろん、設置はその逆に行われればよい。つまり、収納可能からワンタッチテント１とフライ１０を取り出して広げれば元々の形状どおりテント１とフライ１０が広げられ、前記フライ１０を前記テント１の上部を覆った状態で締結手段２０を利用してテント１とフライ１０を互いに固定し、最後に固定ピン１３を使ってフライ１０を地面に固定する。
【００５１】
図３を参考すれば、ワンタッチテント１の進出路を含めてワンタッチテント１を完全にカバーするようにした状態を示す。つまり、前面部１１ｃを広げてベルクロ(登録商標)テープ１１ｄを使って側面部１１ｂに結合する。このようにすることで、テント１の四方が全部フライ１０の防水布１１によって保護を受けることができる状態になる。
【００５２】
図４を参考すれば、締結手段２０が図示されている。テント１とフライ１０のいずれにもベルト２１ａ、２２ａとファスナー２１、２２を装着し、ファスナー２１、２２を互いに結合することで簡単に脱着できるようになる。ここで最も低い位置の一対の第１地点１２ａを締結することでテント１とフライ１０の安定的な結合が可能になる。
【００５３】
一方、図５を参考すれば、本発明の他の実施例によるフライ１０の平面が図示されている。前回の実施例の構成要素に、特に、前記トンネル型ポール１２の前記一対の第１地点１２ａを連結する第１ワイヤ１１２と、前記一対の第２地点１２ｂを連結する第２ワイヤ１２ｃと、前記トンネル型ポール１２の一対の第２地点１２ｂの間には前記第２ワイヤ１１３が通過するスリーブ１２ｃが形成され、前記スリーブ１２ｃには前記トンネル型ポール１２の直径より長さが長い補助ポール１１４が追加された。
【００５４】
このように構成することで、第１、２ワイヤ１１２、１１３による外力によってトンネル型ポール１２が広がって形態変形が発生することを最小化し、補助ポール１１４によって全体的にフライが垂れることを防止してその高さを維持できるようになる。
【００５５】
図６を参考すれば、フライ１０とテント１を一緒にかばん２に収納することが図示されている。先ず、フライ１０を順に折り畳んでかばん２に収納し、同時にテント１もまた折り畳んでかばん２に一緒に収納することができる。このように一緒に収納することにより、一つに収納して移動可能であるため、紛失を防ぐことができ、特に、フライのみを忘れて持ってこない場合を最初から防止することができる。
【００５６】
以上、本発明の一実施例について説明したが、本発明の思想は本明細書に示される実施例に制限されず、本発明の思想を理解する当業者は、同一思想の範囲内で、構成要素の付加、変更、削除、追加などによって他の実施例を容易に提案することができるが、これもまた本発明の思想範囲内に入ると言える。
【産業上の利用可能性】
【００５７】
本発明は、室内外に設置されるテントに幅広く適用することができる。
【図１】
2020515741.tif 000003
【図２】
2020515741.tif 000004
【図３】
2020515741.tif 000005
【図４】
2020515741.tif 000006
【図５】
2020515741.tif 000007
【図６】
2020515741.tif 000008
【国際調査報告】
2020515741.tif 000009
2020515741.tif 000010
2020515741.tif 000011
2020515741.tif 000012